(57)【特許請求の範囲】
【請求項１】
複数のタバコ産業製品を収納できる筐体を画定するハウジングと、
フレーバー物質を収納するように構成された、パック内または上に配置されたカプセルとを備え、
前記カプセルが手で開放され、開放状態で前記カプセルから放出されたフレーバー物質が、前記パック内に配置された任意のタバコ産業製品により少なくとも部分的に吸収されるように構成されており、
前記カプセルが、芯により前記筐体と液体連通している、タバコ産業製品用パック。
【請求項２】
前記芯が、前記ハウジングの一部を含む請求項１に記載のパック。
【請求項３】
前記芯が、前記カプセルから放出された前記フレーバー物質を前記筐体の所定部分に向けるように配置されている請求項１または２に記載のパック。
【請求項４】
前記パック内に収容されたタバコ産業製品がフィルタ付きであり、前記筐体の前記所定部分が、前記フィルタの端部から遠位に配置されている請求項３に記載のパック。
【請求項５】
前記ハウジングが、前記カプセルを収納するための窪みを含む請求項１に記載のパック。
【請求項６】
前記窪みが、前記カプセルの寸法と等しい深さを有する請求項５に記載のパック。
【請求項７】
前記カプセルが、被覆部材により前記パックに取り付けられており、前記被覆部材が、前記フレーバー物質に対して不浸透性である請求項１または５に記載のパック。
【請求項８】
１つ以上のカプセルが、前記パックの蓋体部内に配置されている請求項１に記載のパック。
【請求項９】
前記蓋体がタバコ産業製品を前記パックから取り外し可能にする開放位置にある場合、前記カプセルに接近可能である請求項８に記載のパック。
【請求項１０】
前記フレーバーの放出のためにカプセルを破裂させるように構成された破裂手段をさらに備える請求項１に記載のパック。
【請求項１１】
前記破裂手段が、チャネル内に摺動可能に配置された棒を備え、前記棒が、前記カプセルから解放された第１の位置と破裂位置との間で移動可能である請求項１０に記載のパック。
【請求項１２】
前記破裂手段が、２つの移動可能な棒が互いに向かって移動された場合、間に配置されたカプセルを破裂させるように構成された前記２つの移動可能な棒を含む請求項１０または１１に記載のパック。
【請求項１３】
前記破裂手段が細長い材料片を備え、その一端がユーザにより接近可能であり、前記片の一部が前記カプセルと接しており、前記片が第１の位置から第２の位置へ移動すると前記カプセルが破壊されるように前記片が移動可能である請求項１０に記載のパック。
【請求項１４】
間に前記カプセルが配置された外被と内枠とを備える請求項１に記載のパック。
【請求項１５】
前記内枠が前記カプセル内に収納されたフレーバー物質に対して浸透性である請求項１４に記載のパック。
【請求項１６】
前記フレーバー物質を前記カプセルから方向付けるために、前記外被と内枠との間にチャネルが形成されている請求項１４または１５に記載のパック。
【請求項１７】
前記チャネルが、前記内枠または外被の型押し部を含む請求項１６に記載のパック。
【請求項１８】
前記チャネルが、向かい合う前記内枠または外被のそれぞれの表面上に形成されている請求項１７に記載のパック。
【発明の詳細な説明】
【技術分野】
【０００１】
本発明は、フレーバー付きタバコ産業製品用のパックに関する。特に、本発明は、シガレットのメンソールフレーバーをリフレッシュまたは強化する手段を有するメンソールフレーバー付きシガレット用パックに関するがこれに限定されない。
【背景技術】
【０００２】
本発明を「タバコ産業製品」または「製品」に関連して本明細書に記載する。タバコ産業製品は、通例、ａ）シガレット、シガリロ、葉巻、パイプ用または手巻きシガレット用タバコ（タバコ、タバコ派生物、膨張タバコ、再生タバコ、またはタバコ代用品のいずれでも）、ｂ）嗅ぎたばこ（ｓｎｕｆｆ）、スヌース（ｓｎｕｓ）、ハードタバコ、ヒート・ノット・バーン製品などの、タバコ、タバコ派生物、膨張タバコ、再生タバコ、またはタバコ代用品を組み込んだ非喫煙製品、ならびにｃ）粘着パッチ、吸入器、トローチおよびガムなどの禁煙補助および他のニコチン送達システムを始めとする、タバコ産業で作製または販売されている任意の品目を指す。このリストは排他的であることを意図するものではなく、単にタバコ産業で作製且つ販売される製品の範囲を例示するものである。
【０００３】
メンソールフレーバー付きシガレットは当該技術で周知であり、メンソールフレーバーが添加されたタバコベースのシガレットを含む。消費時にユーザはメンソールの心地よい風味を味わう。
【０００４】
メンソールフレーバー付きシガレットは、既知のシガレットパックに収容されて販売されている。通例、パックは製造中に封止されて、中に収容される製品の新鮮度を維持する。しかし、一旦パックを開封すると、製品の新鮮さは時間とともに損なわれる。さらには、メンソールフレーバーが開封パック内の製品から逃げて、消費者は製品にメーカーの規定の水準を下回る低水準のメンソールレベルを味わう。最終的には、開封されたパックに収容された製品のメンソールフレーバーは、物品が消費者にとって望ましくない程度まで失われる恐れがある。
【発明の開示】
【発明が解決しようとする課題】
【０００５】
本発明は、開封パック内に収容されたシガレットなどのタバコ産業製品にフレーバーをリフレッシュ、強化または補充する手段を備える、フレーバー付きシガレット用パックを提供することを目的とする。
【課題を解決するための手段】
【０００６】
本発明の一態様において、複数のタバコ産業製品を収納できる筐体を画定するハウジングと、フレーバー物質を収容するように構成された、ハウジング内または上に配置されたカプセルとを備え、前記カプセルが手で加えられた圧力により開放または破裂され、開放状態でカプセルから放出されたフレーバー物質が、パック内に配置されたタバコ産業製品により少なくとも部分的に吸収されるように構成されている、フレーバー付きシガレットを収容するためのタバコ産業製品用パックが提供される。このように、さらなるフレーバー物質を、中に配置されたタバコ産業製品により吸収されるようにパック内に組み込むことによって、物品が消費される際にフレーバー効果を補充または強化することができる。
【０００７】
カプセルが芯により筐体と液体連通可能であることが有利である。このようにフレーバーは保管が容易な液体を含むことができる。さらにまた、芯はフレーバー物質をパックの適当な部分に効率的に向けることができる。
【０００８】
芯がハウジングの一部を含み得ることが有利である。このように、芯をハウジング内に組み込むことにより、製造時に必要な構成要素の数の増加を最小限に抑える。
【０００９】
芯がカプセルから放出されたフレーバー物質を筐体の所定部分に向けるように構成できることが有利である。このように、フレーバーをパックの所望の部分、ひいては内部に配置された物品に分配することができる。例えばパック内に収容されたシガレットがフィルタ付きである場合、フレーバーが分配される筐体の所定部分を、シガレットのフィルタの端部から遠位に配置することができる。その結果、フレーバーによるフィルタの汚染を低減するかまたはなくすことができる。
【００１０】
ハウジングがカプセルを収納するための窪みを含み得ることが有利である。窪みはカプセルの寸法と等しい深さを有することができる。このように、カプセルを突出させずにパックまたはハウジングにより収納することができる。加えて、カプセルを接着剤またはラベルによりパックに取り付けることにより、カプセルを確実に所望の位置に維持することができる。フレーバー物質がパックから流出する速度を低下させるようにラベルを構成することができる。
【００１１】
複数のカプセルをパックの蓋体部内に配置できることが有利である。このため、カプセルには消費者が容易に接近できる。さらにまた、蓋体がタバコ産業製品をパックから取り外し可能にする開放位置にある場合、複数のカプセルに接近可能である。このように、閉鎖されている場合カプセルに接近できないため、ある程度の保護が不注意によるカプセル破壊に対して提供される。
【００１２】
手で圧力が印加された場合、フレーバーの放出のためにカプセルを破裂させるように構成された破裂手段を提供できることが有利である。このように、カプセルを破裂させるための比較的容易な方法が提供される。
【００１３】
破裂手段はチャネル内に摺動可能に配置された棒またはピンを含むことが可能であり、棒またはピンはカプセルから解放された第１の位置と破裂位置との間で移動可能である。このように、カプセルの比較的容易な破裂用装置が設けられている。
【００１４】
破裂手段が、２つの移動可能な棒が互いに向かって移動された場合、間に配置されたカプセルを破裂させるように構成された、互いに離間した該２つの移動可能な棒を含み得ることが有利である。この装置は代替的なカプセル破裂装置を提供する。
【００１５】
破裂手段が細長い材料片を含むことが可能であり、その一端がユーザにより接近可能であり、片の一部がカプセルと接しており、片が第１の位置から第２の位置へ移動するとカプセルが破壊されるように片が移動可能であることが有利である。このように、材料片がユーザにより引っ張られるとカプセルが破裂する。この装置はさらなる代替的な、比較的容易なカプセル破裂装置を提供する。
【００１６】
本発明によるパックが、間にカプセルが配置された外被と内枠とを備え得ることが有利である。このように、カプセルがハウジング内に収納されることにより、カプセルを確実に収容できる装置を提供する。
【００１７】
内枠がカプセル内に収納されたフレーバー物質に対して浸透性であることが有利である。このように、内枠がフレーバー物質用の芯として作用可能であることにより、フレーバーを破裂カプセルから、タバコ産業製品を収納している筐体へ効率的に搬送する手段を提供する。
【００１８】
フレーバー物質をカプセルから方向付けるために、外被と内枠との間にチャネルが形成されていることが有利である。この装置を用いてカプセルからのフレーバー物質をより良好に方向付けて、パック内の所定の場所に効率的に送達することができる。チャネルを内枠または外被の型押し部で形成することができる。さらにまた、チャネルを、向かい合う内枠または外被のそれぞれの表面上に形成することができる。
【００１９】
ここで添付の図面を参照して一例として本発明の実施形態を説明する。
【発明を実施するための最良の形態】
【００２０】
本発明によるタバコ産業製品パック１が概略形状で図１に示されている。パック１は本体２と本体に取り付けられたヒンジ留め蓋体３とを備える。パックは蓋体を閉鎖位置から開放位置に移動させることにより開封されて、パックの本体２および蓋体３の内部寸法により画定され筐体内に配置されたタバコ産業製品４を露出させる。通例、タバコ産業製品は、タバコ産業製品の新鮮度を維持するためにパック１内に配置された箔紙包装紙５内にパックされている。
【００２１】
パックはリフレッシュ手段８をさらに備え、リフレッシュ手段８によりパック内に収容されている物品の新鮮さをリフレッシュまたは強化することができる。前述したように、タバコ産業製品は、一旦パックが開封されると特に長期間にわたり乾燥することが既知である。その結果、開封されたパックに収容された製品は新鮮でなくなる恐れがある。メンソールシガレットなどのフレーバー付きタバコ産業製品の場合、消費者が得られるメンソールフレーバーのレベルは、時間と共に許容不能なレベルまで損なわれる。このためリフレッシュ手段は、パック内に収容されたフレーバーのレベルを消費者の許容閾値を超えて向上させる物質をパック内に再導入する装置を提供する。
【００２２】
図２は図１のパックをより詳細に示す。図２Ａはパックの本体２上に配置されたリフレッシュ手段８を有するパック１を図示する。リフレッシュ手段８は液体状のフレーバー物質またはリフレッシュ物質を包含するカプセル１０を備える。カプセル１０は圧力が手でカプセルに加えられることにより破裂するように構成されている。図２Ａに図示する実施形態では、カプセル１０はパックの正面１２内に形成された窪み１１内に配置されている。
【００２３】
図２Ｂは線ＡＡに沿った図２Ａに示したパックの断面を示す。ここでカプセル１０は、カプセルがパック１の正面１２とほぼ同一平面を保つように、カプセルの直径と同様な寸法を有する窪み内に配置されていることが分かる。加えて、被覆部材１５は窪み１１内に収納されたカプセル上に配置することができる。被覆部材はカプセルを窪み内に維持または保持するように構成されている。さらにまた、カプセルが開放状態にある場合（すなわちカプセルが破裂した場合）、被覆部材１５はカプセル内に配置されたフレーバー液体に不浸透性であるように構成されている。このように、フレーバー物質は、最初は被覆部材１５と窪み１１との間に含まれている。
【００２４】
パックの材料、特にカプセルが配置された窪み１１におけるおよびその周囲の材料は、カプセルから放出されたフレーバー液体は窪みの箇所でパック材料に吸収されるように、浸透性材料で作製することができる。換言すれば、パックの吸収性部分は、液体をパック内の所望の場所に向けるように構成可能な芯として作用する。パック材料の印刷または他の前処理は、フレーバー液体をパック中に均等に分配するための吐出パターンを提供することができる。加えて、一旦カプセルが崩壊すると液体の分配の視覚的表示を提供するように、前処理を構成することもできる。
【００２５】
通例、タバコ産業製品パケットは印刷仕上げを有するカードで作製されている。印刷仕上げがパックの外面上に配置されており、パックの内容物が乾燥して新鮮でなくなることになる水分の包装からの流出を防止するように、通常液体に比較的不浸透性である。その結果、印刷されていないため水分に対して浸透性を保っている包装の一部で窪みを形成することができる。この例では、被覆部材１５は、包装から窪みを介して大気への湿度または水分の過剰損失を防止するように作用する。換言すれば、印刷されていない浸透性の窪みと不浸透性封止部材との組み合わせは、製品の劣化の促進に寄与せず、そのまま販売用に保管される。さらにまた、被覆部材は製品パックに対して継ぎ目のない外観を提供することができる。
【００２６】
図３はカプセルがパック１の蓋体部３内に配置された、本発明の第２の実施形態を図示する。この実施形態において、カプセルは、蓋体の上面６と内壁１８との間の蓋体部の上部の中心に配置されている。カプセルの両側に配置されて、カプセルを崩壊または断片化する手段が設けられている。この実施形態において、図３に矢印Ｚで示すように、蓋体３の上面６と内面１８との間の空間内で移動可能な２つの棒２０が設けられている。このため、ユーザは、棒がカプセル８を崩壊または破壊させるように蓋体の適当な部分を一緒につまむことができる。
【００２７】
崩壊したカプセルから流出する液体を蓋体の内壁１８を備える材料によって吸収することができる。また、内壁はフレーバー物質用の芯として作用する。
【００２８】
内壁１８をカプセルおよびカプセルを崩壊させる棒を収納するチャネルに形成することができることが好適である。加えて、パックが開封された後に別々の機会にフレーバー液体を放出する２つ以上のカプセルを蓋体内に配置することができるように、いくつかの崩壊装置およびカプセルを互いに並べて配置することができる。
【００２９】
棒にカプセルに最も近い鋭利な端またはピンを設けて、棒同士を一緒につまむ動作によってカプセルの外部表面が貫通されるようにすることができる。あるいは、カプセルを閉鎖端チャネル内に収納することができる。この構成において、単一の棒またはピンしか必要ではないが、それは手により棒に加えられる圧力により、カプセルが棒の端部とチャネルの閉鎖端との間で崩壊するからである。
【００３０】
代替構成において、ユーザが遠位端に接近できる適当な材料片内にカプセルを包むことができる。ユーザより遠位端がパックから引き抜かれると、材料がカプセルの表面に抗して剥がされてカプセル表面を破き、内部に収納されているフレーバー物質を放出する。カプセルと接している片の一部を研削材で作製して、カプセルを破裂させる確実性を強化することができる。あるいは、材料を圧迫帯として作用するように構成して、材料片が手で引き抜かれるとカプセルに対して締まることによりカプセルが破裂するようにすることができる。
【００３１】
さらなる実施形態が図４に示されており、２つ以上のカプセル８がタバコ産業製品パック１の蓋体３の方向の別々の箇所に配置されている。包装蓋体の適当な場所をユーザの親指と人差し指との間でつまむことにより、カプセルの各々を個々に破裂させることができる。この場合、カプセルを収容する適当な場所へのアクセスを可能にするために蓋体が開放される。この実施形態はユーザが所与の時期に任意の数のカプセルを破裂させて、パック内に配置された製品のフレーバーレベルを所望のレベルにまで強化することを可能にする。例えばユーザが消費中の製品に関連するフレーバーレベルを、メーカーにより通常供給されるものを超えて強化することを望む場合には、ユーザは蓋体内のカプセルのすべてまたは大半を破裂させ、蓋体を閉じて、フレーバー材料が製品により吸収される適当な時間待つ。あるいは、製品が時間とともに新鮮でなくなる場合には、ユーザは製品のフレーバーレベルをリフレッシュすることを望むこともある。この例では、ユーザは蓋体内で利用可能なカプセルの１つのみまたは２つを破裂させることもある。蓋体内のカプセルの位置は、蓋体の上面６上の適当な印刷説明文により示すことができる。
【００３２】
図５はカプセル８がパック１の外被２５と内枠３０との間に配置された、他の代替的実施形態を示す。図５Ａは実施形態を平面に示し、図５Ｂは線ＡＡに沿った実施形態の断面を示す。通例、内枠は水分に対して浸透性であるカードで作製されている。この実施形態において、カプセル８は内枠と流体連通しており、カプセルが破裂してカプセル内に配置されたフレーバー物質がカプセルを流出自在である場合、フレーバーが内枠により吸収されるようになっている。その結果、枠本体内のフレーバーの濃度が比較的均等に分配され、フレーバー材料がパック内の製品の位置に比較的関係なく所与の速度で製品により吸収される。
【００３３】
加えて、フレーバー液体をパック中により均等に分配するために、内枠と外被との間のチャネル３２を設けることができる。これらのチャネルは内枠内、外被内または両方に配置された溝を含み得る。溝は内枠に折り目を付けることにより、または内枠または外被内に型押し領域を設けることにより構成されうる。カプセルから放出されると、フレーバー流体は溝に沿って流れることができ、内被内に比較的速い速度で均等に分配される。
【００３４】
パックに収容されたタバコ産業製品は、フィルタ付きシガレットを含み得る。この場合、フレーバー物質をフィルタと反対方向に向けて、フィルタをフレーバーで汚染されないようにすることが好ましい。このように、図５に示す実施形態のチャネルを、消費時にユーザの口に保持されないタバコ産業製品の端部にフレーバー物質を分配するように構成することができる。
【００３５】
メンソールまたは他のフレーバーを始めとするタバコ産業のフレーバー物質の強化に関して本発明を上述した。しかし、本発明は、他のアロマ製品、または、製品の追加フレーバーなしに、乾燥して新鮮でない製品をリフレッシュするために用い得る保潤剤の分配にも適用可能である。
【００３６】
本発明の他の実施形態は、当業者には特許請求の範囲に規定されているような本発明の範囲から逸脱することなく想像されよう。
【図面の簡単な説明】
【００３７】
【図１】本発明を実施するパックの概略図である。
【図２】図に示したパックの概略図であり、図２Ａはパックの正面図であり、図２Ｂはパックの断面図である。
【図３】本発明の代替実施形態の概略断面図である。
【図４】本発明の更なる代替実施形態の概略断面図である。
【図５】本発明の他の代替実施形態の概略図であり、図５Ａはパックの正面図であり、図５Ｂはパックの断面図である。
【符号の説明】
【００３８】
１  タバコ産業製品パック
２  本体
３  蓋体
４  タバコ産業製品
５  箔紙包装紙
６  上面
８  リフレッシュ手段
１０  カプセル
１１  窪み
１２  正面
１５  被覆部材
１８  内面・内壁
２０  棒
２５  外被
３０  内枠
３２  チャネル
【図１】
0005193615.tif 000002
【図２】
0005193615.tif 000003
【図３】
0005193615.tif 000004
【図４】
0005193615.tif 000005
【図５】
0005193615.tif 000006